(57)【要約】【課題】  バックアップ装置やライブラリー装置において、データカートリッジに形成されたバーコードラベルなどの固有情報表示部の表示内容の読み取り位置にカートリッジが存在しない場合と、その読み取り位置に、固有情報表示部が形成されていないカートリッジや、バーコードラベル以外のラベル等の所定の固有情報表示部以外の部材が装着されているカートリッジなどが存在する場合とを、容易に判別できるようにする。【解決手段】  データカートリッジを収容するガレージ５と、このガレージに収容されたデータカートリッジに設けられたバーコードラベルなどの固有情報表示部の表示内容を読み取る読取装置４とを備えたデータカートリッジ検知装置である。ガレージ５にデータカートリッジが収容されておらずガレージが空であることを検出する手段１３を有する。【選択図】        図３
2005129090.tif 000002
【特許請求の範囲】
【請求項１】
データカートリッジを収容するガレージと、このガレージに収容されたデータカートリッジに設けられたバーコードラベルなどの固有情報表示部の表示内容を読み取る読取装置とを備えたデータカートリッジ検知装置であって、
前記ガレージにデータカートリッジが収容されておらずガレージが空であることを検出する手段を有することを特徴とするデータカートリッジ検知装置。
【請求項２】
データカートリッジを収容するガレージと、このガレージに収容されたデータカートリッジに設けられたバーコードラベルなどの固有情報表示部の表示内容を読み取る読取装置とを備えたデータカートリッジ検知装置であって、
前記ガレージに設けられたカートリッジ挿入口を閉じることが可能であるとともに、前記カートリッジを前記挿入口に挿入してガレージに収容させる時にこのカートリッジにて押し開かれることが可能な開閉蓋が設けられ、
前記開閉蓋には前記カートリッジが空であることを表す情報が付与されており、この情報は、ガレージにデータカートリッジが収容されておらずこの開閉蓋によってカートリッジ挿入口が閉じられている時に前記読取装置によって読み取られるものであることを特徴とするデータカートリッジ検知装置。
【請求項３】
固有情報表示部は、バーコードラベルなどの、読取装置によって光学的に情報を読み取ることができる手段によって構成され、開閉蓋は、前記固有情報表示部と比べて光の反射率が相違するように構成されていることを特徴とする請求項２記載のデータカートリッジ検知装置。
【請求項４】
固有情報表示部は第１のバーコードラベルによって構成され、開閉蓋には、データカートリッジが空である内容を表す第２のバーコードラベルが貼り付けられていることを特徴とする請求項２記載のデータカートリッジ検知装置。
【請求項５】
ガレージが空であることを検出する手段は、ガレージ内に収容されたデータカートリッジによって遮られる光を照射可能な発光部と、ガレージ内にデータカートリッジが収容されていない時に前記光を受光可能な受光部とを有することを特徴とする請求項１記載のデータカートリッジ検知装置。
【発明の詳細な説明】
【技術分野】
【０００１】
本発明はデータカートリッジ検知装置に関し、特に、データカートリッジに貼り付けられたバーコードラベルなどの、データカートリッジに形成された固有情報表示部の表示内容を読み取るための、データカートリッジ検知装置に関する。
【背景技術】
【０００２】
データをバックアップするバックアップ装置やデータを保管するためのライブラリー装置において、データを記録したカートリッジの背面には、そのカートリッジを識別するための固有情報表示部としてのバーコードラベルが貼り付けられているのが通例である。このようなバックアップ装置やライブラリー装置では、一般に、ターンテーブル上に複数のガレージを設け、各ガレージにそれぞれ複数のカートリッジを収容したうえで、ターンテーブルの回転にもとづきカートリッジを回転方向に移動させて、ガレージへの収容位置あるいはガレージからの取り出し位置へカートリッジを運搬させるような構成が、たとえば特許文献１に記載されている。
【０００３】
レーザー光を掃引させるための手段としては、ポリゴンミラーを回転させ、またはミラーを振動させる機構を用いたものが一般的である。あるいは、他の構成として、カートリッジの移動を利用することでレーザー光を掃引し、貼り付けられたバーコードラベルのデータを高速に読み取ることができるバーコード読み取り装置も提案されている。
【特許文献１】特開平０８−２３５７３０号公報
【発明の開示】
【発明が解決しようとする課題】
【０００４】
しかしながら、上記従来のバックアップ装置やライブラリー装置では、バーコードラベルを貼り付けていないカートリッジやバーコードラベル以外のラベルを貼り付けたカートリッジなどが混在する場合において、バーコードラベルの検出位置にカートリッジが存在しない場合と、その検出位置にバーコードラベルを貼り付けていないカートリッジやバーコードラベル以外のラベルを貼り付けたカートリッジなどが存在する場合とでは、ともに受光装置に戻ってくる光量がほとんどなく、両者を容易に判別することができないという問題があった。
【０００５】
そこで本発明は、バックアップ装置やライブラリー装置において、データカートリッジに形成されたバーコードラベルなどの固有情報表示部の表示内容の読み取り位置にカートリッジが存在しない場合と、その読み取り位置に、固有情報表示部が形成されていないカートリッジや、バーコードラベル以外のラベル等の所定の固有情報表示部以外の部材が装着されているカートリッジなどが存在する場合とを、容易に判別できるようにすることを目的とする。
【課題を解決するための手段】
【０００６】
この目的を達成するため本発明は、データカートリッジを収容するガレージと、このガレージに収容されたデータカートリッジに設けられたバーコードラベルなどの固有情報表示部の表示内容を読み取る読取装置とを備えたデータカートリッジ検知装置が、前記ガレージにデータカートリッジが収容されておらずガレージが空であることを検出する手段を有するようにしたものである。
【０００７】
このような構成であると、ガレージにデータカートリッジが収容されておらずガレージが空であることを検出する手段を有するものであるため、ガレージ内にカートリッジが存在しない場合と、バーコードラベルなどの固有情報表示部を貼り付けていないカートリッジや固有情報表示部以外の他の表示を有するカートリッジなどが存在する場合とを容易に判別することができる。
【０００８】
また本発明は、データカートリッジを収容するガレージと、このガレージに収容されたデータカートリッジに設けられたバーコードラベルなどの固有情報表示部の表示内容を読み取る読取装置とを備えたデータカートリッジ検知装置において、前記ガレージに設けられたカートリッジ挿入口を閉じることが可能であるとともに、前記カートリッジを前記挿入口に挿入してガレージに収容させる時にこのカートリッジにて押し開かれることが可能な開閉蓋が設けられ、前記開閉蓋には前記カートリッジが空であることを表す情報が付与されており、この情報は、ガレージにデータカートリッジが収容されておらずこの開閉蓋によってカートリッジ挿入口が閉じられている時に前記読取装置によって読み取られるものである。
【０００９】
このような構成であると、読み取り装置によって、ガレージが空であることを検出することができるため、ガレージ内にカートリッジが存在しない場合と、バーコードラベルなどの固有情報表示部が設けられていないカートリッジや他の表示を有するカートリッジなどが存在する場合とを容易に判別することができるのみならず、固有情報表示部の表示内容を読み取るために本来備わっている読取装置によって、ガレージが空であることの検出を行うこともできる。すなわち、読み取り装置を、固有情報表示部の表示内容の読み取りと、ガレージ内にカートリッジが存在しないことの検出との双方に利用することができる。
【００１０】
本発明によると、上記において、固有情報表示部は、バーコードラベルなどの、読取装置によって光学的に情報を読み取ることができる手段によって構成され、開閉蓋は、前記固有情報表示部と比べて光の反射率が相違するように構成されているのが好適である。
【００１１】
このような構成であると、ガレージ内にカートリッジが存在しないことを、読取装置によって容易に検出することができる。
本発明によると、上記において、開閉蓋に、データカートリッジが空である内容を表すバーコードラベルが貼り付けられていることが好適である。
【００１２】
このような構成であると、ガレージが空であることの情報を、バーコード情報によって容易に得ることができる。
また本発明によると、上記において、ガレージが空であることを検出する手段が、ガレージ内に収容されたデータカートリッジによって遮られる光を照射可能な発光部と、ガレージ内にデータカートリッジが収容されていない時に前記光を受光可能な受光部とを有することが好適である。
【００１３】
このような構成であると、発光部と受光部とによって、ガレージにデータカートリッジが収容されておらずガレージが空であることを検出するものであるため、ガレージ内にカートリッジが存在しない場合と、バーコードラベルなどの固有情報表示部を貼り付けていないカートリッジや固有情報表示部以外の他の表示を有するカートリッジなどが存在する場合とを容易に判別することができる。
【発明の効果】
【００１４】
以上のように本発明によれば、ガレージ内にカートリッジが存在しない場合と、バーコードラベルなどの固有情報表示部を貼り付けていないカートリッジや、固有情報表示部以外の他の表示を有するカートリッジなどが存在する場合とを、容易に判別することができる。
【発明を実施するための最良の形態】
【００１５】
以下、本発明の実施の形態について、図面を参照しながら説明する。図１は本発明の実施の形態のデータカートリッジ検知装置を備えたライブラリー装置の平面図、図２（ａ）（ｂ）はカートリッジを挿入した時のバーコード読み取り状態を示す図、図３はカートリッジを挿入していない時の読み取り状態を示す図、図４はＬＥＤ発光部と受光部とを付加したライブラリー装置の平面図である。
【００１６】
図１〜図３に示すライブラリー装置の基本的な構成は、以下のとおりである。すなわち、ベースプレート１上にはターンテーブル３が設けられており、このターンテーブル３上には周方向に沿って複数のガレージ５が設けられている。各ガレージ５は、それぞれ複数のカートリッジ１０を上下複数段に収納できるように構成されている。各カートリッジ１０の背面には、そのカートリッジについての固有情報を表示した固有情報表示部としてのバーコードラベル１２が貼り付けられている。２は、ライブラリー装置のガレージ５へのカートリッジ挿入位置である。６はテープドライブで、カートリッジ１０内に収容された記録媒体としての磁気テープに情報を書き込んだり、その磁気テープから情報を読み出したりするものである。１６はエレベータである。
【００１７】
ガレージ５は、その正面に設けられた挿入口１８を利用して、その内部へカートリッジ１０を水平方向に挿入できるように構成されている。そして、この挿入口１８は、開閉蓋としてのフラップ１３の自重にて閉じられるように構成されており、カートリッジ１０の挿入時にこのカートリッジ１０によってフラップ１３を押し開くことができるように構成されている。
【００１８】
４はバーコードリーダユニットで、レーザー発光素子８と受光素子９とを備え、発光素子８によって照射されるレーザー光１９を、ガレージ５に格納されているカートリッジ１０に貼付されたバーコードラベル１２、あるいはガレージ５に設けられたフラップ１３に照射し、ターンテーブル３の回転を利用してレーザー光１９を掃引させ、その反射光７の明暗の変化を受光素子９を使って検出することで、バーコードを読んだり、フラップからの反射光を検出したりする。ガレージ５に複数段に収容されたカートリッジ１０のバーコードラベル１２を全て読むために、バーコードユニット４はステッピングモータ１１に取り付けられており、このステッピングモータ１１を回転させてバーコードユニット４を上下させる。
【００１９】
図２は、上述のように、ガレージ５にカートリッジ１０を挿入した時のバーコード読み取り状態を示す図である。このとき、図３に示される、ガレージ５に装着されたフラップ１３は、カートリッジ１０により押し開かれる。すなわち、バーコードリーダユニット４からのレーザー光１９は、カートリッジ１０のバーコードラベル１２には照射されるがフラップ１３には照射されないようになっている。
【００２０】
図３は、上述のように、カートリッジ１０をガレージ５に挿入していない時の読み取り状態を示す図である。このときは、ガレージ５に設けられた開閉蓋としてのフラップ１３は、カートリッジ１０が挿入されていないために自重でぶら下がって挿入口１８を閉じた状態になり、バーコードリーダユニット４からのレーザー光１９が照射される。フラップ１３は特定の溝あるいは表面状態などにもとづき、バーコードラベルが貼り付けられていないカートリッジとは光の反射率が異なるように構成されている。あるいはフラップ１３には、そのフラップ１３が設けられたガレージ５にはデータカートリッジ１０が収容されておらず同ガレージ５が空である内容を表すバーコードラベルが貼り付けられている。
【００２１】
これにより、バーコードリーダユニット４から出射されたレーザー光１９は、ガレージ５にカートリッジ１０が挿入されている時は、バーコードラベル１２を照射して、受光素子４によりデータの読み取りスキャンを行うとともに、ガレージ５にカートリッジ１０が挿入されていない時は、フラップ１３の反射レベルの情報を受光素子４で検出する。さらに、カートリッジ１０にバーコードラベル１２が貼り付けられていない時や、カートリッジ１０にバーコードラベル以外のラベルが貼り付けられている時などにおいては、所定の反射光が戻らずしたがって受光素子４が反射光を受光できないので、そのことを検出することができる。
【００２２】
図４は、上述のように、ＬＥＤ発光部と受光部を付加したライブラリー装置の平面図である。すなわち、ここでは、バーコードリーダユニット４のほかに、ガレージ５にカートリッジ１０が格納されているか否かを検出するための、カートリッジ有無検出装置２０が設けられている。この検出装置２０は、ＬＥＤ発光部１４と受光部１５とを有し、ＬＥＤ発光部１４から出射された光２１がガレージ５内の空間を通って受光部１５に達するように構成されている。
【００２３】
このような構成において、カートリッジ有無検出装置２０のＬＥＤ発光部１４から出射された光２１は、ガレージ５にデータカートリッジ１０が挿入されていない場合は、ガレージ５の空間を通過し、受光部１５へ照射される。反対にデータカートリッジ１０が挿入されている場合は、このデータカートリッジ１０にて遮断され、受光部１５へは出射光は届かない。
【００２４】
これにより、フラップ１３が無くても、バーコードラベル１２の識別情報を読み取ると同時に、カートリッジ１０の有無情報も得ることができる。
なお、上記においては、固有情報表示部としてバーコードラベル１２を例として説明したが、本発明は、そのほかの手段によって固有情報表示部を構成した場合をも含むものである。たとえば、カートリッジにメモリーを設け、磁気信号などによって情報の読み取りを行うようにした場合も、フラップ１３に磁気信号などによって情報の読み取りを行う手段を設けることで、同様にガレージにおけるカートリッジの有無情報を得ることができる。
【００２５】
また、上記においては、ガレージが空であることを、フラップ１３を用いて検出したり、ＬＥＤ発光部１４と受光部とを利用して検出したりするものについて例示したが、本発明においては、他の適宜の手段によってガレージが空であることを検出するものであっても差し支えない。
【産業上の利用可能性】
【００２６】
本発明のデータカートリッジ検知装置は、ガレージ内にカートリッジが存在しない場合と、バーコードラベルなどの固有情報表示部を貼り付けていないカートリッジや固有情報表示部以外の他の表示を有するカートリッジなどが存在する場合とを容易に判別することができるものであり、データカートリッジに貼り付けられたバーコードラベルなどの、データカートリッジに形成された固有情報表示部の表示内容を読み取るための、データカートリッジ検知装置などとして有用である。
【図面の簡単な説明】
【００２７】
【図１】本発明の実施の形態のデータカートリッジ検知装置を備えたライブラリー装置の平面図
【図２】カートリッジを挿入した時のバーコード読み取り状態を示す図
【図３】カートリッジを挿入していない時のバーコード読み取り状態を示す図
【図４】本発明の実施の形態の、ＬＥＤ発光部と受光部とを付加したライブラリー装置の平面図
【符号の説明】
【００２８】
４    バーコードリーダユニット
５    ガレージ
１０    カートリッジ
１２    バーコードラベル
１３    フラップ
１４    ＬＥＤ発光部
１５    受光部
１８    挿入口
２１    光
【図１】
2005129090.tif 000003
【図２】
2005129090.tif 000004
【図３】
2005129090.tif 000005
【図４】
2005129090.tif 000006